(57)【要約】【課題】運動時に、季節性の花粉やばい煙等で喉が悪くなったり、アレルギー症状が現れたりする人が、その症状を軽減する為に本発明品を着用する事により、呼吸量増加時でも快適に呼吸が出来る様に工夫した、対流扇付き硬質スポーツ・マスクを提供する。【解決手段】硬い材料のマスク両側に通気性のある網目状のカバーを設け、内側から花粉等対策フィルターを配し、マスク内部に２つの電動ファンを設け，それを電動ファン駆動制御システムにてマスク内に空気の対流を作る。  マスクの両サイドは、呼気を排出する為の空洞を設け、マスク両サイド後端から呼気を排出できるようにし、排気用空洞の途中に逆流防止弁を設ける。  マスクは、形と色彩を施す事が出来る様、デザイン性を重視した硬い材料でできており、マスクの中央部から２つに折りたたむ事により、より携帯性を向上させることを特徴とする、対流扇付き硬質スポーツ・マスクである。【選択図】図１
2016087376.tif 000002
【特許請求の範囲】
【請求項１】
硬い材料のマスク両側に通気性のある網目状のカバーを設け、内側から花粉等に効果があるフィルターを配し、電極のある留め具を有する２つの電動ファンを設け，マスク両サイドに汎用電池を収納し、その電力を昇圧回路，ＯＮ／ＯＦＦスイッチ及び風量調節ツマミからなる電動ファン駆動制御回路にてマスク内に空気の対流を作る事を特徴とする、対流扇付き硬質スポーツ・マスク。
【請求項２】
マスクの両サイドは、呼気を排出する為の空洞を設け、マスク両サイド後端から呼気を排出できるようにし、外気がマスク内に流入しない様、途中に空気の逆流防止弁を設けた事を特徴とする、対流扇付き硬質スポーツ・マスク。
【請求項３】
マスクは形と色彩のデザイン性を重視した硬い材料でできており、持ち運ぶ時にかさばる事が考えられる為、このマスクの中央部の上下２箇所に蝶番を用い、２つに折りたたむ事ができ、よりファッション性と携帯性を向上させる事を特徴とする、対流扇付き硬質スポーツ・マスク。
【発明の詳細な説明】
【技術分野】
【０００１】  本発明は、サイクリング等の運動時に、季節性の花粉や黄砂、又は排気ガスやばい煙等で喉が悪くなったり、アレルギー症状が現れたりする人が、その症状を軽減する為に、本発明品をマスクとして装着する事により、運動等の呼吸量増加時でも快適に呼吸が出来る様に工夫した、対流扇付き硬質スポーツ・マスクに関するものである。
【背景技術】
【０００２】  従来から、運動時に使用するマスクとして、布製、又は柔らかな素材の内側に、花粉等の防御フィルターがある。
その中央、又は両側に円形状の排気弁を設け、それをマスクとして装着する事で、花粉によるアレルギー症状等を軽減する製品は、必要者の間では知られている。
【先行技術文献】
【特許文献】
【０００３】
【特許文献１】  特開２０１２−０３００２０号公報
【特許文献２】  特開２０１２−１１５６４７号公報
【特許文献３】  特開２０１３−０６３２６６号公報
【発明の概要】
【発明が解決しようとする課題】
【０００４】  そのために、つぎのような問題点があった。
（イ）マスクの内側に排気弁付きフィルターが配置されていても、運動していない平静状態では特に問題ないが、運動を始めた場合、呼吸量が増加し、それと共に呼気による湿気もマスク内に充満し、マスクを装着しての呼吸量増大時の快適性が損なわれる。
（ロ）本発明品は、軽くて硬い材料で製作しており、デザイン性を重視する所から、顔にフィットするＵ字型のマスク形状となっている。
その為、持ち運ぶ場合、バック等に収納する時にかさばる等の難がある。
（ハ）顔にマスクを装着した時の風貌が、スポーツを実施するという観点から、そのスマート性がマッチしにくく、ファッション性があまり感じられなかった。
本発明は、これらの問題点を解決するためになされたものである。
【課題を解決するための手段】
【０００５】  硬い材料のマスク両側に通気性のある網目状のカバーを設け、内側から花粉等に効果があるフィルターを配し、電極のある留め具を有する２つの電動ファンを設け、マスク両サイドに汎用電池を収納し、その電力を昇圧回路、ＯＮ／ＯＦＦスイッチ、及び風量調節ツマミからなる電動ファン駆動制御システムにてマスク内に空気の対流を作る。
マスクの両サイドは、呼気を排出する為の空洞を設け、マスク両サイド後端から呼気を排出できるようにし、外気がマスク内に流入しない様、空洞途中に気流の逆流防止弁を設ける。
マスクは形と色彩を施す事が出来る様、デザイン性を重視した硬い材料でできており、持ち運ぶ時にかさばる事が考えられる為、このマスクの中央部の上下２箇所に蝶番を用い、２つに折りたたむ事により、より携帯性を向上させた。
以上を特徴とする対流扇付き硬質スポーツ・マスクである。
【発明の効果】
【０００６】  マスクを装着しての運動により呼吸量が増大しても、マスク内に取り付けた２つのファンを駆動することにより、マスク内の前面から吸い込んだ空気を顔の方向に流す事により、マスク内に空気の流れを作り、呼気により生じた細かな水滴や湿り気を気化させる事で持続的に、より快適な呼吸が可能となり、運動を行うことが出来る。
また、マスクをＦＲＰ等の軽くて丈夫な材料で製作する事により、呼気の排気をマスクの両側に儲けた排気用空洞を通って空気逆流防止弁を介して、マスク後方から自然な形で排出できるように工夫した。
それと同時に、スポーツ仕様という概念から、デザイン性を重視してマスクの形状をまとめ、その中に各機能が入るように工夫した。
そして、運動の種別・目的に合った塗装も出来るようにした。
【発明を実施するための形態】
【０００７】  以下、本発明の実施の形態について説明する。
（イ）ＦＲＰ等の固くて軽い材料を用いて、マスクの外側本体（１）を形作っており、外気を取り込む為、マスクの左右に大きな空気取り入れ口（２）を設ける。
空気取り入れ口には、通気性の良い網目状のカバーを取り付けて、内側からの花粉等の侵入防止フィルターをセットした際に、フィルターが網目にフィットし、しっかりと位置決めできるようにした。
フィルター（７）は空気取り入れ口のサイズに合わせた形状とし、フィルターの淵周りには粘着材があり、マスク内側の強力磁石（１３）で固定された開閉式フェイスフィットラバー（１２）を手前へ開いて、粘着材の塗ってある面を空気取り入れ口側にして、内側から空気取り入れ口の外周部分にフィットするように貼り付ける。
フィルターは、マスクの使用頻度に応じて、空気取り入れ口周囲に張り付いたフィルターの淵部分を剥がし、新しいフィルターと取り替える。
フィルターは、剥がしやすい様に、淵部分の数箇所に指でつまむことができる突起を設けた。
（ロ）マスク内の空気を対流させる為、電動ファン駆動制御システムを組み込んだ。
これは、電池と電池ボックス（１６）、昇圧回路（１５）、マスク背面に向かって左側下に儲けたＯｎ／Ｏｆｆスイッチ（１９）、電圧調節ツマミ（１７）がマスク本体側に組み込まれ、マスク本体に着脱出来る４ｃｍ程度の電動ファン（１０）２基を水平方向に取り付ける空気対流ファン固定カバー（８）及び、それらを回路として接続する為の配線材等で構成されたものである。
電池は、使いやすく軽量である事を考慮し、汎用の単４型を４個使用し、マスク両側の後方下側に電池２本用の電池ボックスをそれぞれ設置し、マスク内側のカバー（３）に儲けた電池交換用蓋を開けて、電池をセットする。
対流用電動ファン（１０）は、直径４ｃｍ程度の２基の電動ファンを使用し、それを固定する筐体カバー（８）、マスク本体との接続固定具（９）と、そこに取り付けた電動ファンへの電力供給用金具、それに電動ファン駆動時に、ファンの空気吸い込み口に、フィルター紙が吸われて隙間が無くならない様に、フィルター側のファン入口部に枠（１１）を設けて空気の流入を確保するようにした。
それと、回路を接続する配線材からなる。
（ハ）外気は、マスク前面にある空気取り入れ口２箇所（２）から、花粉等の対策フィルター（７）を通して流入し、使用者が鼻、又は口から息を吸い込み、吐き出す。その時、肺からの二酸化炭素や湿気がマスク内に充満する為、その空気を対流用電動ファンを駆動して、マスク内に空気の流れを作る。
それと同時にわずかではあるが、フィルターを通して、前面から外気も取り入れる。
その吐き出された呼気は、若干はマスクと顔の接触部から逃げていくと思われるが、マスク両側に呼気を逃がす為の空洞を上側半分に設け、空気の逆流防止弁（２０）を通って、後方から排気するようにした。
逆流防止弁は、マスク装着時、顔とマスクの間に空間が出来、両側のマスク本体外側と内側カバーの電池格納部上側に儲けた呼気排気用空洞部に取り付けて、呼気排出時のみ弁が開いて、整流板（２１）を通って後ろ側へ排気するようにした。
（ニ）マスクは、持ち運びに便利なようにマスク中央から縦割に分かれており、
上下２箇所に取り付けた蝶番により、左右のマスクを接続している。
マスクには、マスクの硬い部分と顔の間に空気がもれないようにラバーゴム等のしなやかで柔らかい素材（４）を加工してマスクに取り付けてあり、蝶番を軸にマスクの両側が内側へ曲げられ、折りたたむ事が出来る。（図６）
マスクを使用する時は、折りたたんだマスクを開き、マスク背面の開閉式フェイスフィットラバー（１２）を開いて、対流電動ファンを取り付ける。
取り付けは、マスクを開いた時に、マスクの本体中央左右が蝶番を介して隙間なく合わさり、マスク内側に儲けたマスク本体中央左右の突起板も合わさる。
そこに、コの字型になった対流電動ファン本体接続固定具（９）により、その突起板を挟む様に固定する。そして、本体接続固定ツマミ（１４）を９０度回転し、対流電動ファンを固定すると同時に、開いて使用可能状態のマスクも固定される。
対流電動ファンを固定した後、開閉式フェイスフィットラバー（１２）を元の位置に戻す。
マスク本体中央左右の突起板には、左右にそれぞれプラス、マイナスの電極板が取り付けられており、対流ファン駆動用の電力を供給する。
対流電動ファンの、接続固定具のコの字型接続部内側に電極があり、マスク本体との接続時に、双方の電極板が重なり、接触して、電動ファンへの電力供給回路を形成する。
形成する。本発明は以上の構成からなるので、本発明を使用する時は、実施例として、図７にサイクリング時の装着状況を示す。
本発明品の上部固定バンド（６）を頭に付けて、マスクを顔にフィットさせた上で、後部固定バンド（５）で固定する。
サイクリング用ヘルメット（２４）をかぶった後、必要に応じて保護メガネ（２３）をかける。
図５のマスク左サイド下に設置した対流電動ファン電源スイッチ（１９）をＯＮにしてファンを回転させ、対流電動ファン電圧調節ツマミ（１７）で風量を調節する。
マスク本体は、図６の様に対流電動ファンを取り外すと、マスク中央部が内側に曲がり、折りたたむ事により、専用の袋や、リュック等に収納出来る。
又、マスクは、使用者の顔の大きさに合うように、Ｓ，Ｍ，Ｌ等のサイズを用意し、子供から大人まで、顔の大きさで選ぶ事が出来るようにする。
【図面の簡単な説明】
【０００８】
【図１】本発明の本体斜視図
【図２】本発明の取り付け部品の分解斜視図
【図３】本発明の部品取り付けを示す裏面（フェイス装着側）からの図
【図４】（ａ）は、本発明の逆流防止弁の排気経路略図  （ｂ）は、右側内側カバーを取り外した説明図  （ｃ）は、電圧調節ツマミを下方斜めから描写した説明図
【図５】本発明の裏側向かって左サイド下側の電源スイッチ（１９）を示す説明図
【図６】本発明の折りたたみ例を示す斜視図
【図７】本発明の装着例を示す斜視図
【符号の説明】
【０００９】１    マスク本体
２    通気口網カバー
３    内側カバー
４    フェイスフィット・ラバー
５    後部固定バンド
６    上部固定バンド
７    花粉等流入防止フィルター
８    対流ファン固定カバー
９    本体接続固定具
１０  対流電動ファン
１１  空気流入確保枠
１２  開閉式フェイスフィットラバー
１３  開閉式フェイスフィットラバー固定磁石
１４  本体接続固定ツマミ
１５  対流電動ファン用昇圧回路部
１６  対流電動ファン用電池格納部
１７  対流電動ファン電圧調節ツマミ
１８  対流電動ファン電圧調節ツマミ保護ブロック
１９  対流電動ファン電源スイッチ
２０  呼気排気用通路逆流防止弁
２１  呼気排気用通路整流板
２２  持ち手
２３  保護メガネ
２４  サイクリング用ヘルメット
【図１】
2016087376.tif 000003
【図２】
2016087376.tif 000004
【図３】
2016087376.tif 000005
【図４】
2016087376.tif 000006
【図５】
2016087376.tif 000007
【図６】
2016087376.tif 000008
【図７】
2016087376.tif 000009